【事件の表示】
　特願２０１３−２２３７３２「放射線画像撮影装置」拒絶査定不服審判事件〔平成２６年　４月１０日出願公開、特開２０１４−　６２９０８〕について、次のとおり審決する。
【結　論】
　本件審判の請求は、成り立たない。
【理　由】
第１　手続の経緯
　本願は、平成１３年５月３０日（優先権主張　平成１２年６月２７日）に出願した特願２００１−１６２５６８号（以下、「親出願」という。）の一部を平成１６年５月６日に特願２００４−１３７３１２号（以下、「子出願」という。）として分割し、さらに、子出願の一部を平成２３年９月２日に特願２０１１−１９１６９５号（以下、「孫出願」という。）として分割し、さらに、孫出願の一部を平成２４年６月２５日に特願２０１２−１４２１７５号（以下、「ひ孫出願」という。）として分割し、さらに、ひ孫出願の一部を平成２５年１０月２８日に新たな特許出願としたものであって、平成２６年６月３０日付けで拒絶理由が通知され、同年９月８日付けで、意見書及び手続補正書が提出され、平成２７年２月２７日付けで拒絶査定がされ、これに対し、同年６月３日付けで拒絶査定不服審判の請求がされるとともに、同時に手続補正がされたものである。
　
第２　平成２７年６月３日付けの手続補正についての補正却下の決定
［補正却下の決定の結論］
　平成２７年６月３日付けの手続補正（以下、「本件補正」という。）を却下する。
［理由］
１．本件補正について
　本件補正は、本件補正により補正される前の特許請求の範囲について、下記アを、下記イと補正するものを含む。
　ア　本件補正前の特許請求の範囲
「【請求項１】
　被写体を透過した放射線を検出する光電変換素子を二次元状に配列して実質的に方形をなす検出面を有する検出手段と、
　前記検出手段を内包する筐体と、
を有するカセッテ型の放射線画像撮影装置であって、
　前記検出手段の前記検出面の反対側に位置する前記筐体の面は、前記筐体の端に向かって前記筐体の厚みが小さくなるように前記筐体の厚み方向に傾斜する傾斜面を、前記筐体の両端部にそれぞれ有することを特徴とする放射線画像撮影装置。
【請求項２】
　前記検出手段からの電気信号を読み取る読取回路部と、前記検出手段を駆動する駆動回路部と、前記読取回路部及び前記駆動回路部に電力を供給する電源と、を更に有し、
　前記筐体は、前記検出手段、前記読取回路部、前記駆動回路部、及び、前記電源を内包し、
　前記検出面は実質的に方形をなし、前記読取回路部は前記検出面の４辺のうち対向する第１辺及び第２辺のうちの少なくとも一方の側で前記筐体に内包され、前記駆動回路部は前記４辺のうち前記第１辺及び前記第２辺と異なる第３辺及び第４辺のうちの一方の側で前記筐体に内包され、前記電源は前記第３辺及び第４辺のうちの一方の側で前記読取回路部の方が前記駆動回路部よりも距離が長くなるように前記筐体に内包されることを特徴とする請求項１に記載の放射線画像撮影装置。
【請求項３】
　前記検出面は実質的に長方形をなし、前記読取回路部は前記検出面の長辺である前記第１辺及び前記第２辺の側で前記筐体に内包され、前記駆動回路部及び前記電源部は前記検出面の短辺である前記第３辺及び前記第４辺のうちの一方の側で前記筐体に内包されることを特徴とする請求項２記載の放射線画像撮影装置。
【請求項４】
　前記読取回路部は前記検出面の２つの短辺の各々に並ぶ領域に配置され、前記検出面をその長辺方向に実質的に２等分してできる各領域を、該各領域に隣接する読取回路部が読み取るように構成したことを特徴とする請求項２又は３記載の放射線画像撮影装置。
【請求項５】
　前記筐体は、前記第３辺及び前記第４辺のうちの他方の側に把手部を有し、
　前記把手部は前記筐体に設けられた穴部から構成されることを特徴とする請求項１乃至４の何れかに記載の放射線画像撮影装置。
【請求項６】
　前記筐体の前記把手部側の一辺において、前記検出面の反対側に位置する前記筐体の底面が厚み方向に凹形状であることを特徴とする請求項５に記載の放射線画像撮影装置。」
　 
　イ　本件補正後の特許請求の範囲（下線は、補正箇所を示す。）
「【請求項１】
　被写体を透過した放射線を検出する光電変換素子を二次元状に配列して実質的に方形をなす検出面を有する検出手段と、
　前記検出手段を内包する筐体と、
　を有するカセッテ型の放射線画像撮影装置であって、
　
前記筺体は、前記検出手段の前記検出面に対して法線方向から見た外形が略方形であり、
【請求項２】
　前記検出手段からの電気信号を読み取る読取回路部と、前記検出手段を駆動する駆動回路部と、前記読取回路部及び前記駆動回路部に電力を供給する電源と、を更に有し、
　前記筐体は、前記検出手段、前記読取回路部、前記駆動回路部、及び、前記電源を内包し、
　前記検出面は実質的に方形をなし、前記読取回路部は前記検出面の４辺のうち対向する第１辺及び第２辺のうちの少なくとも一方の側で前記筐体に内包され、前記駆動回路部は前記４辺のうち前記第１辺及び前記第２辺と異なる第３辺及び第４辺のうちの一方の側で前記筐体に内包され、前記電源は前記第３辺及び第４辺のうちの一方の側で前記読取回路部の方が前記駆動回路部よりも距離が長くなるように前記筐体に内包されることを特徴とする請求項１に記載の放射線画像撮影装置。
【請求項３】
　前記検出面は実質的に長方形をなし、前記読取回路部は前記検出面の長辺である前記第１辺及び前記第２辺の側で前記筐体に内包され、前記駆動回路部及び前記電源部は前記検出面の短辺である前記第３辺及び前記第４辺のうちの一方の側で前記筐体に内包されることを特徴とする請求項２記載の放射線画像撮影装置。
【請求項４】
　前記読取回路部は前記検出面の２つの短辺の各々に並ぶ領域に配置され、前記検出面をその長辺方向に実質的に２等分してできる各領域を、該各領域に隣接する読取回路部が読み取るように構成したことを特徴とする請求項２又は３記載の放射線画像撮影装置。
【請求項５】
　前記筐体は、前記第３辺及び前記第４辺のうちの他方の側に把手部を有し、
　前記把手部は前記筐体に設けられた穴部から構成されることを特徴とする請求項１乃至４の何れかに記載の放射線画像撮影装置。
【請求項６】
　前記筐体の前記把手部側の一辺において、前記検出面の反対側に位置する前記筐体の底面が厚み方向に凹形状であることを特徴とする請求項５に記載の放射線画像撮影装置。」
　
２．新規事項の有無及び補正の目的要件　
　本件補正後の請求項１に係る補正は、本件補正前の請求項１に係る発明の「筐体」について「前記検出手段の前記検出面に対して法線方向から見た外形が略方形であ」る点を特定するものであって、本願の願書に最初に添付した明細書の【００５１】、図面の図５等の記載から、上記補正は、当初明細書に記載した事項の範囲内においてするものと認められる。 
　そして、本件補正前の請求項１に記載された発明と本件補正後の請求項１に記載された発明（以下、「本件補正発明」という。）の産業上の利用分野及び解決しようとする課題が同一であって、本件補正のうち、補正後の請求項１に係る補正は、平成１８年法律第５５号改正附則第３条第１項によりなお従前の例によるとされる同法による改正前の特許法第１７条の２第４項第２号の特許請求の範囲の減縮を目的としたものに該当する。
　
　そこで、本件補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項）を、進歩性（特許法第２９条第２項）について検討する。
　
３．本件補正発明の進歩性について
（１）本件補正発明
　本件補正発明は、上記「１．イ」の請求項１に記載されたとおりのものと認める。
　
（２）引用例１、２の記載
　ア　引用例１について
　原査定の拒絶理由に引用され、親出願の優先日前に頒布された刊行物である特開２０００−１３１５００号公報（以下、「引用例１」という。）には、「カセッテ型放射線画像読取装置」（発明の名称）について、次の記載がある（下線は当審が付与した。以下、同じ。）。
（引１ア）「【０００１】
【発明の属する技術分野】
この発明は、カセッテ型放射線画像読取装置に関する
（引１イ）「【００１２】
【課題を解決するための手段】この発明に係るカセッテ型放射線画像読取装置は、照射された放射線の強度に応じて２次元的に配列された複数の検出素子で画像データを生成して放射線画像の読み取りを行う撮像パネルと、撮像パネルから読み取られた画像データを記憶する着脱可能な記憶手段と、撮像パネルでの放射線画像の読み取りと記憶手段での画像データの記憶処理を制御する制御手段と、撮像パネルと記憶手段と制御手段を駆動するための電力を供給する電源手段とを有するものである。また、警告を発する報知手段を設け、制御手段では、記憶手段に所定量の画像データが記憶されたことを検出したとき、報知手段を制御して警告を発するものである。」
（引１ウ）「【００１４】
【発明の実施の形態】次に、この発明の実施の一形態について図を用いて詳細に説明する。図１は、放射線画像撮像システムの構成を示す図である。図１において、
放射線発生装置１０から放射された放射線は、被写体５を通してカセッテ型放射線画像読取装置（以下「放射線画像読取装置」という）２０の撮像パネルに照射される
【００１５】図２は放射線画像読取装置２０の構造を示す図である。照射された放射線の強度に応じて画像データを生成して出力する
撮像パネル２１は、
筐体４０に収納されている
この撮像パネル２１は、照射された放射線の強度に応じて蓄積された電荷を読み出す走査駆動回路２４や蓄積された電荷に基づき画像データを生成して出力する信号選択回路２６を有している
放射線画像読取装置２０には、放射線画像読取装置２０の動作を制御する制御回路２８、書き換え可能な読み出し専用メモリ
を用いることにより撮像パネル２１から出力された画像データを記憶すると共に着脱可能とされたメモリ２９、放射線画像読取装置２０の動作を切り換えるための操作部３０、放射線の照射を検出するセンサ３１、放射線画像の撮影準備の完了やメモリ２９に所定量の画像データが書き込まれたことを示す表示等を表示するための表示部３２、撮像パネル２１を駆動して画像データを得るために必要とされる電力を供給する電源部３３、放射線発生装置１０と放射線画像読取装置２０の動作を同期させるための通信用のコネクタ３４が設けられている。
放射線画像読取装置２０の持ち運びや放射線画像の撮影時の位置調整を容易とするため把手４２が筐体４０に設けられている
（引１エ）「【００７０】なお、
撮像パネルは、照射された放射線の強度に応じた電荷を光導電層で生成し、この電荷を２次元状に配列された多数の電荷蓄積コンデンサで蓄積し、この蓄積された電荷を読み出して画像データを生成するもの
（引１オ）「【００７１】
【発明の効果】
この発明によれば、照射された放射線の強度に応じて２次元的に配列された複数の検出素子で画像データが生成されて着脱可能とされた記憶手段に記憶される
（引１カ）図２
　
　イ　引用例２について
　親出願の優先日前に頒布された刊行物である米国特許第５５９４７７４号明細書（以下、「引用例２」という。）には、「HOLDER FOR RECEIVING A SHEET-LIKE MEDIUM FOR X-RAY IMAGES（Ｘ線画像用シート状媒体を収容するホルダ）」（発明の名称）について、次の記載がある（英文の後の括弧内の日本語は当審による仮訳。）。 
（引２ア）「BACKGROUND OF THE INVENTION（発明の背景）
The present invention concerns a holder for retaining a sheet-like, X-ray sensitive medium of the type used in making X-ray pictures.（この発明は、Ｘ線写真を作成するために用いられる、シート状の、Ｘ線に感受性のある媒体を保持するためのホルダに関する。）」（１欄４〜８行）
（引２イ）「X-rays are employed in many fields, in non-destructive materials testing for example and especially for medical diagnoses. Medical X-ray pictures must be produced rapidly, especially in emergencies. Mobile X-ray apparatus is usually employed for bedridden or wounded patients. Such apparatus is positioned over the patient being radiographed and the loaded cassette is positioned beneath the patient. A bedridden patient accordingly has to be lifted in order to slide the cassette in under him or her. The cassette must then be positioned correctly in relation to the regions being imaged. Experience demonstrates that conventional cassettes are difficult to slide in under a patient and, once there, to position correctly for exposure. The cassette is of course also difficult to remove once the exposure has been made. Cassettes are sometimes severely stressed mechanically by heavy patients, and can even break as a result.（Ｘ線は多くの分野、例えば、非破壊的な材料検査、特に医療診断に用いられている。医療用のＸ線写真は、速やかに作成されなければならず、特に緊急時には速やかに作成されなければならない。可搬のＸ線装置は、たいてい、寝たきり又はケガをした患者に対して用いられる。そのような装置は、Ｘ線撮影される患者の上方に配置され、フィルムが充填された
カセッテが患者の下に置かれる
（引２ウ）「A principal object of the present invention is to provide a mechanically robust holder for receiving a sheet-like medium which will allow the production of very high-quality X-ray images of subjects that move very little, if at all.（この発明の基本的な目的は、動くとしてもほとんど動かない被写体の高品質のＸ線画像を作成することを可能にする、機械的に安定したホルダを提供することである。）
This object, as well as other objects which will become apparent from the discussion that follows, are achieved, in accordance with the present invention, by providing a holder which comprises:
a) an inner cassette that can be opened to receive the sheet-like medium and thereafter closed, the inner cassette being lightproof when closed; and
b) an outer cassette having a low-friction shape and surface and having a compartment for holding the inner cassette.（この目的は、以後の議論から明らかになる目的とともに、この発明によって、以下を含むホルダによって、達成される。
　ａ）シート状の媒体を収容するために開かれ、その後、閉じられる内部カセッテであって、閉じられると光を通さない内部カセッテ、及び、
　ｂ）摩擦の少ない形状及び表面を有し、内部カセッテを保持するための区画を有する外部カセッテ。）
The holder in accordance with the present invention thus comprises two cassettes, one fitting inside the other. The inner cassette can be a conventional X-ray cassette and the outer cassette more or less a cover that protects it. The outer cassette protects the inner cassette mechanically from damage and visually from contamination. Visual protection is particularly important in relation to X-ray pictures needed in medical emergencies because victims are often brought to the hospital covered in blood. The protective outer cassette keeps the sensitive inner cassette clean. Again, since the surface of the outer cassette is very smooth, it is easier to slide in under the subject and to position correctly with respect to the region of interest.（したがって、この発明に関するホルダは、２つのカセッテを有し、１つは、もう一つの内部に収まるような寸法になっている。内部カセッテは、従来からあるＸ線カセッテであり、外部カセッテは、それを守る、事実上のカバーである。外部カセッテは、内部カセッテを衝撃から機械的に保護し、汚染から視覚的に保護する。視覚的な保護は、医学的な緊急事態に必要となるＸ線写真において特に重要となる。なぜかというと、被害者は、しばしば血まみれになって病院に運ばれてくるからである。この保護用の外部カセッテは、敏感な内部カセッテを清潔に保つ。繰り返すと、
外部カセッテの表面はとても滑らかなので、被写体の下に滑り込ませ、興味がある対象に応じて、正確に位置決めすることが比較的易しい
Another advantage of the present invention is that the outer surface of the outer cassette has no sharp edges. It also has finger grips that help to position it beneath the patient. （この発明の、他の有利な点は、
外部カセッテの外部表面には、とがった縁がないことである。
（引２エ）「FIG. 6 illustrates another embodiment of the present invention. The finger grips 9 on the outer cassette 5 are in the form of recesses in the top 6 and bottom 8. The convex edge 17 of the outer cassette 5 slopes slightly out. Such an outer cassette 5 has even fewer sharp edges. A label 18 on the outside of the outer cassette 5 identifies the bottom 8. The scatter grid 14 in this embodiment is cemented into a recess 32 in the outer surface of bottom 8. It could just as well be accommodated in recesses in the inner surface of bottom 8 or top 6.（図６には、この発明の他の実施例が示されている。外部カセッテ５の把手９は上面６と底面８に、孔の形で設けられている。
外部カセッテ５の凸形状の縁１７は、端までわずかに傾斜している
そのような外部カセッテ５は、鋭い縁は、ほとんど有していない
（引２オ）図６
　
（３）引用例に記載された事項
　ア　引用例１
　「撮像パネル２１」は、（引１エ）の【００７０】に記載されるように、「照射された放射線の強度に応じた電荷を光導電層で生成し、この電荷を２次元状に配列された多数の電荷蓄積コンデンサで蓄積し、この蓄積された電荷を読み出して画像データを生成するもの」であって、（引１オ）の【００７１】に記載されるように、「照射された放射線の強度に応じて２次元的に配列された複数の検出素子で画像データが生成され」るものであるから、「撮像パネル２１」は、「照射された放射線の強度に応じた電荷を」「生成する」「光導電層」と「この電荷を」「蓄積」する「電荷蓄積コンデンサ」とで、「照射された放射線」を検出する「検出素子」を構成し、この検出素子を２次元状に配列することで、「照射された放射線の強度に応じた」「画像データを生成するもの」と解することができる。
　そして、（引１ウ）の【００１４】に記載されるように、「放射線発生装置１０から放射された放射線は、被写体５を通してカセッテ型放射線画像読取装置（…）２０の撮像パネルに照射され」ることから、（引１カ）の図２の記載も考慮すれば、「撮像パネル２１」は、光導電層と電荷蓄積コンデンサとで被写体を透過した放射線を検出する検出素子を２次元状に配列して実質的に方形をなす検出面を有するものということができる。
　
　また、（引１カ）の図２から、カセッテ型放射線画像読取装置２０の筐体４０は、撮像パネル２１に対して法線方向からみた外形が略方形であることが看取される。
　
　そうすると、引用例１には、
「カセッテ型放射線画像読取装置２０において、
　筐体４０と、
　光導電層と電荷蓄積コンデンサとで被写体を透過した放射線を検出する検出素子を２次元状に配列して実質的に方形をなす検出面を有し、電荷蓄積コンデンサで蓄積された電荷を読み出す走査駆動回路２４、及び、蓄積された電荷に基づき画像データを生成して出力する信号選択回路２６を有する撮像パネル２１と、
　カセッテ型放射線画像読取装置２０の動作を制御する制御回路２８と、
　書き換え可能な読み出し専用メモリを用いることにより撮像パネル２１から出力された画像データを記憶すると共に着脱可能とされたメモリ２９と、
　カセッテ型放射線画像読取装置２０の動作を切り換えるための操作部３０と、
　放射線の照射を検出するセンサ３１と、
　放射線画像の撮影準備の完了やメモリ２９に所定量の画像データが書き込まれたことを示す表示等を表示するための表示部３２と、
　撮像パネル２１を駆動して画像データを得るために必要とされる電力を供給する電源部３３と、
　放射線発生装置１０と放射線画像読取装置２０の動作を同期させるための通信用のコネクタ３４と、
　放射線画像読取装置２０の持ち運びや放射線画像の撮影時の位置調整を容易とするため把手４２とを備え、
　筐体４０は、撮像パネル２１を収容し、撮像パネル２１に対して法線方向からみた外形が略方形であり、
　筐体４０に、把手４２が設けられたカセッテ型放射線画像読取装置２０。」（以下、「引用発明」という。）が記載されていると認められる。
　
　イ　引用例２
　引用例２には、外部カセッテを、患者の下に滑り込ませ、興味がある対象に応じて、正確に位置決めすることを容易とするために、外部カセッテの表面を滑らかにし、孔の形で把手を設け、その上面６及び底面８の全ての縁に、端まで傾斜する傾斜面を設け、その傾斜面は、外部カセッテの厚みが、端に向かって小さくなるような傾斜面とすることが記載されていると認められる。　
　
（４）対比
　本件補正発明と引用発明とを対比する。
　引用発明の「カセッテ型放射線画像読取装置２０」、「光導電層と電荷蓄積コンデンサとで被写体を透過した放射線を検出する検出素子を２次元状に配列して実質的に方形をなす検出面を有」する「撮像パネル２１」及び「撮像パネル２１を収容」する「筐体」は、本件補正発明の「カセッテ型の放射線画像撮影装置」、「被写体を透過した放射線を検出する光電変換素子を二次元状に配列して実質的に方形をなす検出面を有する検出手段」及び「検出手段を内包する筐体」にそれぞれ相当する。
　
　そうすると、本件補正発明と引用発明とは、
「被写体を透過した放射線を検出する光電変換素子を二次元状に配列して実質的に方形をなす検出面を有する検出手段と、
　前記検出手段を内包する筐体と、
を有するカセッテ型の放射線画像撮影装置。」点で一致し、次の相違点１で相違する。
（相違点１）
　「筐体」について、本件補正発明は、「前記検出手段の前記検出面の反対側に位置する前記筐体の面は、前記筐体の端に向かって前記筐体の厚みが小さくなるように前記筐体の厚み方向に傾斜する傾斜面を、前記筐体の両端部にそれぞれ有する」のに対し、引用発明は、「筐体４０」に傾斜面を有することは規定されていない点。
　　
（５）判断
　相違点１について検討する。
（相違点１について）
　引用発明の「カセッテ型放射線画像読取装置２０」は、患者の下に滑り込ませ、興味がある対象に応じて、正確に位置決めする必要があるものであることは明らかである。
　そうすると、引用例２に接した当業者は、引用発明に、引用例２に開示された、筐体の上面及び底面の全ての縁に、端まで傾斜する傾斜面を設け、その傾斜面は、筐体の厚みが、端に向かって小さくなるような傾斜面を設ける技術を採用する動機付けがあるということができることから、上記相違点１に係る本件補正発明の発明特定事項は、当業者が容易に想到し得たことである。
　
（６）むすび
　以上のとおり、本件補正発明は、引用発明及び引用例２に開示された事項に基いて、当業者が容易に発明をすることができたものであるから、特許法第２９条２項の規定により特許を受けることができない。
　
４．本件補正発明についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２７年６月３日付けの手続補正は上記のとおり却下されたので、本願の請求項１に係る発明（以下、「本願発明」という。）は、平成２６年９月８日付けの手続補正書によって補正された特許請求の範囲の請求項１に記載された事項により特定される、上記「第２　１．ア」の請求項１に記載されたとおりのものと認める。
　
２．引用例
（１）引用例１
　原査定の拒絶の理由に引用された引用例１の記載は、前記「第２　３．（２）ア」に摘示したとおりであり、引用発明は、前記「第２　３．（３）ア」に記載したとおりである。
（２）引用例３
　原査定の拒絶理由に引用され、親出願の優先日前に頒布された刊行物である特開平１０−２８２５９８号公報（以下、「引用例３」という。）には、「放射線用カセッテキャリア」（発明の名称）について、次の記載がある。
（引３ア）「【０００１】
【発明の属する技術分野】本発明は、移動型Ｘ線撮影装置にてＸ線撮影を行う際に好適な放射線用カセッテキャリアに関する。」
（引３イ）「【０００４】そこで
本発明は、周辺に対してＸ線被爆を低減することができる放射線用カセッテキャリアを提供することを目的
【０００５】
【課題を解決するための手段】上記した目的を達成するため、
本発明の放射線用カセッテキャリアは、グリッドホルダーを装着した放射線用カセッテの収納部を中央部に形成するとともに、該収納部の両側に被撮影者の幅よりも突出する側辺部を形成し、両側辺部の端部にそれぞれ把手部を設け、両側辺部及び収納部の裏面全体に放射線を遮蔽吸収する材料からなる遮蔽部材を設けた
【０００６】
【発明の実施の形態】以下、本発明を、図面に示す実施形態例に基づいて、さらに詳細に説明する。放射線用カセッテキャリア１は、軟質合成樹脂製で、グリッドホルダー２を装着した放射線用カセッテ３を厚さ方向から挿入して収納する収納部４を中央部に形成するとともに、該収納部４の両側に、被撮影者である患者Ｋの身体の幅より突出する側辺部５，５を形成し、該側辺部５，５の端部にそれぞれ把手部６を設け、収納部４及び側辺部５，５の裏面全体に放射線を遮蔽吸収する鉛、タングステン合金、重金属合金等の材料からなる膜状の遮蔽部材７を設けている。」
（引３ウ）図１
　
　　ウ　引用例３
　図１から、放射線カセッテキャリア１の放射線用カセッテ３のフィルム８が設けられた面の、反対側の面の側辺部５を、端に向かって側辺部５の厚みが小さくなるように厚み方向に傾斜する傾斜面を設けたことが看取される
　そして、放射線カセッテキャリア１の放射線用カセッテ３のフィルム８が設けられた面は、放射線を検出する検出面ということができる。
　
　そうすると、引用例３には、周辺に対してＸ線被爆を低減することができる放射線用カセッテキャリアを提供することを目的として、グリッドホルダーを装着した放射線用カセッテの収納部を中央部に形成するとともに、該収納部の両側に被撮影者の幅よりも突出する、放射線を検出する検出面の反対側に位置する面の側辺部を、端に向かって側辺部の厚みが小さくなるように厚み方向に傾斜する傾斜面を設けた側辺部を形成し、両側辺部の端部にそれぞれ把手部を設け、両側辺部及び収納部の裏面全体に放射線を遮蔽吸収する材料からなる遮蔽部材を設けた放射線カセッテキャリアが開示されている。
　
３．対比・判断
（１）対比
　本願発明と引用発明とを対比する。
　引用発明の「カセッテ型放射線画像読取装置２０」、「光導電層と電荷蓄積コンデンサとで被写体を透過した放射線を検出する検出素子を２次元状に配列して実質的に方形をなす検出面を有」する「撮像パネル２１」及び「撮像パネル２１を収容」する「筐体」は、本願発明の「カセッテ型の放射線画像撮影装置」、「被写体を透過した放射線を検出する光電変換素子を二次元状に配列して実質的に方形をなす検出面を有する検出手段」及び「検出手段を内包する筐体」にそれぞれ相当する。
　
　そうすると、本願発明と引用発明とは、
「被写体を透過した放射線を検出する光電変換素子を二次元状に配列して実質的に方形をなす検出面を有する検出手段と、
　前記検出手段を内包する筐体と、
　を有するカセッテ型の放射線画像撮影装置。」点で一致し、次の相違点２で相違する。
（相違点２）
　「筐体」について、本願発明は、「前記検出手段の前記検出面の反対側に位置する前記筐体の面は、前記筐体の端に向かって前記筐体の厚みが小さくなるように前記筐体の厚み方向に傾斜する傾斜面を、前記筐体の両端部にそれぞれ有する」のに対し、引用発明１は、「筐体４０」に傾斜面を有することは規定されていない点。
　　
（２）判断
　相違点２について検討する。
（相違点２について）
　引用発明は、Ｘ線が照射されるものである以上、周辺に対してＸ線被爆を低減する必要があるものであることは明らかである。
　そうすると、引用例３に接した当業者は、引用発明に、引用例３に開示された、放射線を検出する検出面の反対側に位置する面の側辺部を、端に向かって側辺部の厚みが小さくなるように厚み方向に傾斜する傾斜面を設けた側辺部を形成し、両側辺部の端部にそれぞれ把手部を設け、両側辺部及び収納部の裏面全体に放射線を遮蔽吸収する材料からなる遮蔽部材を設けた放射線用カセッテキャリアを採用する動機付けがあるということができ、上記相違点２に係る本願発明の発明特定事項は、当業者が容易に想到し得たことである。
　
４．むすび
　以上のとおり、本願発明は、引用発明及び引用例３に開示された技術に基いて、当業者が容易に発明をすることができたものであるから、特許法第２９条２項の規定により特許を受けることができない。
　
　したがって、その余の請求項について論及するまでもなく、本願は拒絶すべきものである。　
　よって結論のとおり審決する。